(57)【要約】【課題】弁ケースをシリンダから取り外さずに、弁の交換、点検等の作業を行うことができる弁装置を提供する。【解決手段】弁装置１は、油圧シリンダ３１に固着される弁ケース２と、これに気密に嵌合離脱自在に組み込まれる副弁ケース３と、副弁ケース３の外側面１２を気密に被覆するように弁ケース２の外側面６にボルト５で固着される押さえ部材４とを具備する。副弁ケース３には弁体１１が組み込まれる。副弁ケース３は、ねじ孔部１５に操作治具を螺合させて、弁ケース２に対して弁体１１もろとも挿入、抜き取りできる。弁の交換は、副弁ケース３を弁ケース２から取り外すだけで済む。作業が簡略で、機器の内部に空気が入る可能性が低減され、油圧機器の性能劣化が防止できる。作動油の充填は、副弁ケース３を取り外して開口を大きくすれば、高粘度の作動油であっても支障なく容易に行える。【選択図】図１
2014040851.tif 000002
【特許請求の範囲】
【請求項１】
油圧シリンダと外部機器とを接続する油通路の途上に設けられる弁装置であって、油圧シリンダに固定される弁ケースと、この弁ケースに嵌合離脱自在に組み込まれる副弁ケースと、弁ケースに嵌合された副弁ケースの外側面を気密に被覆するように弁ケースの外側面にボルトで固定される押さえ部材とを具備し、
前記弁ケースは、前記副弁ケースを外側から気密に嵌合させることができるように一端が弁ケースの外側面に開放する円柱孔と、この円柱孔と前記油圧シリンダとを連通する第１の油通路と、当該円柱孔と前記外部機器とを連通する第２の油通路とを具備し、
前記副弁ケースは、前記弁ケースの円柱孔に気密に嵌合する円柱状の本体と、この本体内に組み込まれる弁体とを具備し、
前記副弁ケースの本体は、外側面から他端側に向かって軸線方向に連続するねじ孔部、油通路部及び弁室部からなり弁室部において前記弁ケースの第１の油通路に連通する中心貫通部と、前記第２の油通路に連通するように外周に形成される環状流通溝と、一端側が油通路部に連通し他端側が環状流通溝に連通するように軸線直交方向に穿たれる交差油通路とを具備し、
前記弁体は、油圧に応じて前記油通路部を開閉するように前記弁室部内に軸線方向移動自在に挿入され、
前記副弁ケースは、前記ねじ孔部に操作治具を螺合させて前記弁ケースに対して挿入、抜き取り可能に構成されることを特徴とする油圧機器用弁装置。
【請求項２】
前記副弁ケースの弁室部は、前記油通路部より大径で一端側において油通路部との間に段部を有し、他端側が副弁ケースの他端側に開放して前記弁ケースの第１の油通路に連通し、
前記弁体は、先端において前記油通路部を開閉する小径部と、前記弁室部に気密に嵌合する大径部と、大径部と小径部との間の段部とを具備し、この段部と前記弁室部の段部との間に挿入されるばねにより前記油通路部を開く開位置に付勢され、弁室部の内周に装着される止め輪により開位置で抜け止めされることを特徴とする請求項１に記載の油圧機器用弁装置。
【請求項３】
前記外部機器が前記油圧シリンダに固着されるアキュムレータであることを特徴とする請求項１又は２に記載の油圧機器用弁装置。
【請求項４】
前記弁ケースに嵌合される副弁ケースの外側面は、弁ケースの外側面と面一に配置され、
前記押さえ部材は、前記副弁ケースの外側面に開放する前記ねじ孔部を包囲するシール材を介在させて、副弁ケースの外側面を被覆するように、前記弁ケースの外側面にボルトで固着されることを特徴とする請求項１に記載の油圧機器用弁装置。
【発明の詳細な説明】
【技術分野】
【０００１】
本発明は、油圧ダンパのような油圧機器における、油圧シリンダとアキュムレータのような外部機器とを接続する油通路の途上に設けられる逆止弁のような弁装置に関する。
【背景技術】
【０００２】
従来、例えば、特許文献１に記載される油圧制振器のような油圧機器においては、油圧シリンダの外側に逆止弁を介してアキュムレータが接続される。弁は、シリンダに固着される弁ケース内に組み込まれ、弁ケースとシリンダとの間に埋没する。弁については、その性能調整のための交換、定期点検のための取り出し、必要な場合の交換が求められる。これらの作業は、弁ケースをシリンダから取り外して行われる。
【先行技術文献】
【特許文献】
【０００３】
【特許文献１】特開２００１−１６５２２９号公報
【発明の概要】
【発明が解決しようとする課題】
【０００４】
上記従来の弁装置では、弁の交換、点検等の作業のために、弁ケースをシリンダから取り外さなければならないので、作業効率が悪い。また、作業中に機器内に空気が入る可能性があり、混入した空気により油圧機器の性能が損なわれる可能性がある。
したがって、本発明は、弁ケースをシリンダから取り外さずに、弁の交換、点検等の作業を行うことができる弁装置を提供することを目的としている。
【課題を解決するための手段】
【０００５】
以下、添付図面の符号を参照して説明するが、本発明はこれに限定されるものではない。
上記課題を解決するための、本発明の弁装置１は、油圧シリンダ３１とアキュムレータのような外部機器とを接続する油通路３２の途上に設けられるものであって、油圧シリンダ３１に固定される弁ケース２と、この弁ケース２に気密に嵌合離脱自在に組み込まれる副弁ケース３と、副弁ケース３の外側面１２を気密に被覆するように弁ケース２の外側面６にボルト５で固定される押さえ部材４とを具備する。弁ケース２は、副弁ケース３を外側から気密に嵌合させることができるように一端が弁ケース２の外側面６に開放する円柱孔７と、この円柱孔７と油圧シリンダ３１とを連通する第１の油通路８と、円柱孔７と外部機器とを連通する第２の油通路９とを具備する。副弁ケース３は、弁ケース２の円柱孔７に気密に嵌合する円柱状の本体１０と、この本体１０内に組み込まれる弁体１１とを具備する。副弁ケースの本体１１は、中心貫通部１３と、環状流通溝１８と、交差油通路１４とを具備する。中心貫通部１３は、本体１０の外側面１２から他端側に向かって軸線方向に連続するねじ孔部１５、油通路部１６及び弁室部１７からなり、弁室部１７において弁ケース２の第１の油通路８に連通する。環状流通溝１８は、弁ケース２の第２の通路９に連通するように本体１０の外周に形成される。交差油通路１４は、一端が油通路部１６に連通し、他端側が環状流通溝１８に連通する。弁体１１は、油圧に応じて油通路部１６を開閉するように弁室部１７内に軸線方向移動自在に挿入される。副弁ケース３は、ねじ孔部１５に操作治具を螺合させて弁ケース２に対して挿入、抜き取りの操作が可能に構成される。
【発明の効果】
【０００６】
本発明の弁装置は、弁ケースをシリンダから取り外さずに弁の交換、点検等の作業を行うことができる。
【図面の簡単な説明】
【０００７】
【図１】本発明に係る弁装置の断面図である。
【発明を実施するための形態】
【０００８】
図面を参照して本発明の実施の形態を説明する。
弁装置１は、油圧シリンダ３１と図示しないアキュムレータのような外部機器に接続される接続管３２との間に設けられる。
【０００９】
弁装置１は、弁ケース２と、副弁ケース３と、押さえ部材４とを具備する。弁ケース２は、油圧シリンダ３１に固着される。副弁ケース３は、弁ケース２に気密に嵌合離脱自在に組み込まれる。押さえ部材４は、副弁ケース３の外側面１２を気密に被覆するように、弁ケース２の外側面６にボルト５で固着される
【００１０】
弁ケース２は、円柱孔７と、第１の油通路８と、第２の油通路９とを具備する。円柱孔７は、一端が弁ケース２の外側面６に開放し、他端側が第１の油通路８に連通する。円柱孔７には、副弁ケース３を外側から気密に嵌合させることができる。
【００１１】
弁ケース２の第１の油通路８は、一端側が円柱孔６の他端側底部２５の中央に開放し、他端側が油圧シリンダ３１に連通する。
【００１２】
第２の油通路９は、円柱孔６の軸線直交方向に設けられ、一端側が円柱孔７の内周に開放し、他端側が接続管３２に連通する。
【００１３】
副弁ケース３は、弁ケース２の円柱孔７に気密に嵌合する円柱状の本体１０と、この本体１０内に組み込まれる弁体１１とを具備する。
【００１４】
副弁ケースの本体１０は、弁ケース２の円柱孔７への嵌合時に、弁ケース２の外側面６と面一となる外側面１２を有する。中心貫通部１３が、外側面１２から他端側に向かって軸線方向に貫通し、弁ケース２の第１の油通路８に連通する。
【００１５】
中心貫通部１３は、外側面１２から軸線方向に連続して並ぶ、ねじ孔部１５、油通路部１６及び弁室部１７からなり、弁室部１７において弁ケース２の第１の油通路８に連通する。外側面１２上には、ねじ孔部１５を包囲するようにシール材１９が装着される。本体１０の外周には、弁ケース２の第２の油通路９に連通する位置に、環状流通溝１８が設けられる。中心貫通部１３と弁ケース２の第２の油通路９とは、環状流通溝１８を介して交差油通路１４で連通する。
【００１６】
交差油通路１４は、本体１０を軸線直交方向に貫通し、中央で油通路部１６に連通し、両端が環状流通溝１８内に開放する。したがって、交差油通路１４は、本体１０の軸周り回転のどの角度位置においても、環状流通溝１８を介して、弁ケース２の第２の通路９の一端側に連通する。
【００１７】
弁体１１は、油圧に応じて油通路部１６を開閉するように、弁室部１７内に軸線方向移動自在に挿入される。
【００１８】
弁室部１７は、油通路部１６より大径で、一端側において油通路部１６との間に段部２０を有し、他端側が副弁ケース３の他端側に開放して、弁ケース２の第１の油通路８に連通する。
【００１９】
弁体１１は、先端において油通路部１６を開閉する小径部２１と、弁室部１７に気密に嵌合する大径部２６と、両者間の段部２２とを具備する。この段部２２と弁室部１７の段部２０との間にばね２３が挿入される。弁体１１は、このばね２３により、常時油通路部１６を開く、開位置に付勢され、また弁室部１７の内周に装着される止め輪２４により、開位置で抜け止めされる。
【００２０】
副弁ケース３は、ねじ孔部１５に操作治具を螺合させて、弁ケース２に対して弁体１１もろとも挿入、抜き取りの操作が可能である。弁の交換等の作業は、弁ケース２をシリンダ３１から取り外すことなく、副弁ケース３のみを弁ケース２から取り外すだけで済む。作業が簡略であるため、機器の内部に空気が入る可能性が低減され、油圧機器の性能劣化が防止できる。作動油の充填を必要とする場合には、副弁ケース３を取り外すことにより開口を大きくすれば、高粘度の作動油の充填も支障なく容易に行える。なお、作動油の充填は、押さえ部材４を外して、ねじ孔部１５を開き、このねじ孔部１５から作動油を注いで行うこともできる。
【符号の説明】
【００２１】
１    弁装置
２    弁ケース
３    副弁ケース
４    押さえ部材
５    ボルト
６    弁ケースの外側面
７    円柱孔
８    第１油通路
９    第２油通路
１０  副弁ケースの本体
１１  弁体
１２  副弁ケースの外側面
１３  中心貫通部
１４  交差油通路
１５  ねじ孔部
１６  油通路部
１７  弁室部
１８  環状流通溝
１９  シール材
２０  段部
２１  小径部
２２  段部
２３  ばね
２４  止め輪
２５  底部
２６  大径部
３１  油圧シリンダ
３２  接続管
【図１】
2014040851.tif 000003